(57)【要約】  情報生成装置は、互いに共通する検出対象エリアを持つ複数のセンサの各々から、前記検出対象エリアの計測結果を示すセンサ情報を取得するセンサ情報取得部と、前記センサ情報取得部が取得した前記複数のセンサ情報に基づいて、前記複数のセンサの各々が同一の所定エリアに存在する対象物を検出しているか否かを判断する判断部と、前記判断部の判断結果が肯定的であり、かつ前記複数のセンサが検出した前記対象物が同一の対象物か否かを判断するための所定の条件を満たさない場合に、前記複数のセンサの各々が検出した前記対象物を別個に表示するための第１表示情報を生成し、前記判断結果が肯定的であり、かつ前記所定の条件を満たす場合に、前記第１表示情報の表示態様とは異なる表示態様で前記複数のセンサの各々が検出した前記対象物を表示するための第２表示情報を生成する表示情報生成部とを備える。
2019159494.tif 000002
【特許請求の範囲】
【請求項１】
互いに共通する検出対象エリアを持つ複数のセンサの各々から、前記検出対象エリアの計測結果を示すセンサ情報を取得するセンサ情報取得部と、
前記センサ情報取得部が取得した前記複数のセンサ情報に基づいて、前記複数のセンサの各々が同一の所定エリアに存在する対象物を検出しているか否かを判断する判断部と、
前記判断部の判断結果が肯定的であり、かつ前記複数のセンサが検出した前記対象物が同一の対象物か否かを判断するための所定の条件を満たさない場合に、前記複数のセンサの各々が検出した前記対象物を別個に表示するための第１表示情報を生成し、前記判断結果が肯定的であり、かつ前記所定の条件を満たす場合に、前記第１表示情報の表示態様とは異なる表示態様で前記複数のセンサの各々が検出した前記対象物を表示するための第２表示情報を生成する表示情報生成部と
を備える情報生成装置。
【請求項２】
前記複数のセンサの一つから得られたセンサ情報に基づく対象物の位置から所定距離内のエリアを前記所定エリアとする
請求項１に記載の情報生成装置。
【請求項３】
前記第２表示情報は、前記複数のセンサの各々が検出した前記対象物のうち、いずれか１つの前記対象物を表示するための情報を含む
請求項１又は２に記載の情報生成装置。
【請求項４】
前記表示情報生成部は、前記複数のセンサの種別に基づいて、いずれか１つの前記対象物を選択することにより、選択した前記対象物を表示するための前記第２表示情報を生成する
請求項３に記載の情報生成装置。
【請求項５】
前記表示情報生成部は、前記複数のセンサの設置対象に基づいて、いずれか１つの前記対象物を選択することにより、選択した前記対象物を表示するための前記第２表示情報を生成する
請求項３に記載の情報生成装置。
【請求項６】
前記表示情報生成部は、前記各センサから当該各センサが検出した前記対象物までの距離に基づいて、いずれか１つの前記対象物を選択することにより、選択した前記対象物を表示するための前記第２表示情報を生成する
請求項３に記載の情報生成装置。
【請求項７】
前記第２表示情報は、前記複数のセンサの各々が検出した前記対象物を統合した対象物を表示するための情報を含む
請求項１又は請求項２に記載の情報生成装置。
【請求項８】
前記第２表示情報は、前記複数のセンサの各々が検出した前記対象物を点滅させて表示するための情報を含む
請求項１又は請求項２に記載の情報生成装置。
【請求項９】
前記第２表示情報は、前記複数のセンサの各々が検出した前記対象物の平均の位置に１つの対象物を表示するための情報を含む
請求項１又は請求項２に記載の情報生成装置。
【請求項１０】
前記所定の条件は、前記複数のセンサが検出した前記対象物の位置に基づく条件を含む
請求項１〜請求項９のいずれか１項に記載の情報生成装置。
【請求項１１】
前記所定の条件は、前記複数のセンサが過去の所定時刻において検出した前記対象物間の距離が所定の距離閾値以下であることを含む
請求項１０に記載の情報生成装置。
【請求項１２】
前記所定の条件は、前記複数のセンサが検出した前記対象物の方向の差が所定の角度閾値以下であることを含む
請求項１〜請求項１１のいずれか１項に記載の情報生成装置。
【請求項１３】
前記所定の条件は、前記複数のセンサが検出した前記対象物の速度の差が所定の速度閾値以下であることを含む
請求項１〜請求項１２のいずれか１項に記載の情報生成装置。
【請求項１４】
前記各閾値は、前記複数のセンサの種別に基づいて定められる
請求項１１〜請求項１３のいずれか１項に記載の情報生成装置。
【請求項１５】
前記各閾値は、前記複数のセンサの設置対象に基づいて定められる
請求項１１〜請求項１３のいずれか１項に記載の情報生成装置。
【請求項１６】
前記各閾値は、前記複数のセンサの検出精度に基づいて定められる
請求項１１〜請求項１３のいずれか１項に記載の情報生成装置。
【請求項１７】
前記各閾値は、前記複数のセンサの位置精度に基づいて定められる
請求項１１〜請求項１３のいずれか１項に記載の情報生成装置。
【請求項１８】
前記所定の条件は、前記複数のセンサが検出した前記対象物のサイズ、色および形状のうちの少なくとも１つに基づく条件を含む
請求項１〜請求項１７のいずれか１項に記載の情報生成装置。
【請求項１９】
前記判断部は、前記各センサと当該各センサが検出した前記対象物との位置関係に基づいて、検出した当該対象物を判断対象とするか否かを決定する
請求項１〜請求項１８のいずれか１項に記載の情報生成装置。
【請求項２０】
互いに共通する検出対象エリアを持つ複数のセンサの各々から、前記検出対象エリアの計測結果を示すセンサ情報を取得するステップと、
取得された前記複数のセンサ情報に基づいて、前記複数のセンサの各々が同一の所定エリアに存在する対象物を検出しているか否かを判断するステップと、
前記判断するステップにおける判断結果が肯定的であり、かつ前記複数のセンサが検出した前記対象物が同一の対象物か否かを判断するための所定の条件を満たさない場合に、前記複数のセンサの各々が検出した前記対象物を別個に表示するための第１表示情報を生成し、前記判断結果が肯定的であり、かつ前記所定の条件を満たす場合に、前記第１表示情報の表示態様とは異なる表示態様で前記複数のセンサの各々が検出した前記対象物を表示するための第２表示情報を生成するステップと
を含む情報生成方法。
【請求項２１】
コンピュータを、
互いに共通する検出対象エリアを持つ複数のセンサの各々から、検出対象エリアの計測結果を示すセンサ情報を取得するセンサ情報取得部、
前記センサ情報取得部が取得した前記複数のセンサ情報に基づいて、前記複数のセンサの各々が同一の所定エリアに存在する対象物を検出しているか否かを判断する判断部、及び
前記判断部の判断結果が肯定的であり、かつ前記複数のセンサが検出した前記対象物が同一の対象物か否かを判断するための所定の条件を満たさない場合に、前記複数のセンサの各々が検出した前記対象物を別個に表示するための第１表示情報を生成し、前記判断結果が肯定的であり、かつ前記所定の条件を満たす場合に、前記第１表示情報の表示態様とは異なる表示態様で前記複数のセンサの各々が検出した前記対象物を表示するための第２表示情報を生成する表示情報生成部
として機能させるためのコンピュータプログラム。
【請求項２２】
請求項１〜請求項１９のいずれか１項に記載の情報生成装置から、当該情報生成装置が生成した前記第１表示情報および第２表示情報のうちの少なくとも１つの表示情報を取得する表示情報取得部と、
前記表示情報取得部が取得した前記表示情報に基づく画面への表示を制御する表示制御部と
を備える車載装置。
【発明の詳細な説明】
【技術分野】
【０００１】
本技術は、情報生成装置、情報生成方法、コンピュータプログラムおよび車載装置に関する。
本出願は、２０１８年２月１３日出願の日本出願第２０１８−０２２８９６号に基づく優先権を主張し、前記日本出願に記載された全ての記載内容を援用するものである。
【背景技術】
【０００２】
従来、複数のセンサから受信したセンサ情報を表示機器に表示する表示制御システムが提案されている（例えば、特許文献１参照）。【０００３】
この表示制御システムでは、複数のセンサから受信した情報を複数の表示機器に表示する際に、表示機器のそれぞれに合った表示情報を生成して、表示機器に表示させる。
【先行技術文献】
【特許文献】
【０００４】
【特許文献１】特開２００９−２０６７５０号公報
【発明の概要】
【０００５】
（１）上記目的を達成するために、本発明の一実施態様に係る情報生成装置は、互いに共通する検出対象エリアを持つ複数のセンサの各々から、前記検出対象エリアの計測結果を示すセンサ情報を取得するセンサ情報取得部と、前記センサ情報取得部が取得した前記複数のセンサ情報に基づいて、前記複数のセンサの各々が同一の所定エリアに存在する対象物を検出しているか否かを判断する判断部と、前記判断部の判断結果が肯定的であり、かつ前記複数のセンサが検出した前記対象物が同一の対象物か否かを判断するための所定の条件を満たさない場合に、前記複数のセンサの各々が検出した前記対象物を別個に表示するための第１表示情報を生成し、前記判断結果が肯定的であり、かつ前記所定の条件を満たす場合に、前記第１表示情報の表示態様とは異なる表示態様で前記複数のセンサの各々が検出した前記対象物を表示するための第２表示情報を生成する表示情報生成部とを備える。
【０００６】
（２０）本発明の他の実施態様に係る情報生成方法は、互いに共通する検出対象エリアを持つ複数のセンサの各々から、前記検出対象エリアの計測結果を示すセンサ情報を取得するステップと、取得された前記複数のセンサ情報に基づいて、前記複数のセンサの各々が同一の所定エリアに存在する対象物を検出しているか否かを判断するステップと、前記判断するステップにおける判断結果が肯定的であり、かつ前記複数のセンサが検出した前記対象物が同一の対象物か否かを判断するための所定の条件を満たさない場合に、前記複数のセンサの各々が検出した前記対象物を別個に表示するための第１表示情報を生成し、前記判断結果が肯定的であり、かつ前記所定の条件を満たす場合に、前記第１表示情報の表示態様とは異なる表示態様で前記複数のセンサの各々が検出した前記対象物を表示するための第２表示情報を生成するステップとを含む。
【０００７】
（２１）本発明の他の実施態様に係るコンピュータプログラムは、コンピュータを、互いに共通する検出対象エリアを持つ複数のセンサの各々から、検出対象エリアの計測結果を示すセンサ情報を取得するセンサ情報取得部、前記センサ情報取得部が取得した前記複数のセンサ情報に基づいて、前記複数のセンサの各々が同一の所定エリアに存在する対象物を検出しているか否かを判断する判断部、及び前記判断部の判断結果が肯定的であり、かつ前記複数のセンサが検出した前記対象物が同一の対象物か否かを判断するための所定の条件を満たさない場合に、前記複数のセンサの各々が検出した前記対象物を別個に表示するための第１表示情報を生成し、前記判断結果が肯定的であり、かつ前記所定の条件を満たす場合に、前記第１表示情報の表示態様とは異なる表示態様で前記複数のセンサの各々が検出した前記対象物を表示するための第２表示情報を生成する表示情報生成部として機能させる。
【０００８】
（２２）本発明の他の実施態様に係る車載装置は、上述の情報生成装置から、当該情報生成装置が生成した前記第１表示情報および第２表示情報のうちの少なくとも１つの表示情報を取得する表示情報取得部と、前記表示情報取得部が取得した前記表示情報に基づく画面への表示を制御する表示制御部とを備える。
【図面の簡単な説明】
【０００９】
【図１】本発明の実施形態に係る無線通信システムの全体構成図である。
【図２】サーバの構成の一例を示すブロック図である。
【図３】センサ情報取得部が取得するセンサ情報の一例を示す図である。
【図４Ａ】第１表示情報の一例を示す図である。
【図４Ｂ】第２表示情報の一例を示す図である。
【図４Ｃ】第２表示情報の一例を示す図である。
【図４Ｄ】第２表示情報の一例を示す図である。
【図４Ｅ】第２表示情報の一例を示す図である。
【図４Ｆ】第２表示情報の一例を示す図である。
【図５】所定エリアに存在する複数の対象物が同一の対象物であると判断するための所定の条件について説明するための図である。
【図６】車載装置の構成の一例を示すブロック図である。
【図７】路側センサの構成の一例を示すブロック図である。
【図８】車載装置、車載カメラ、車載ミリ波レーダ、路側カメラ、路側ミリ波レーダ、およびサーバの協働により実行される、表示情報の配信処理の一例を示すシーケンス図である。
【図９】表示情報生成処理（図８のステップＳ９）の詳細を示すフローチャートである
【図１０】対象物を判断対象とするか否かの判断基準を示すための図である。
【発明を実施するための形態】
【００１０】
[本開示が解決しようとする課題]
複数のセンサ情報を情報源として、自動車等の車両の運転支援制御に役立つ情報を生成することが望まれている。
【００１１】
しかしながら、従来の表示制御システムでは、表示機器に対応した表示方法に着目されており、複数のセンサが検出した対象物をどのように表示するかについては考慮されていない。各センサの精度は様々であり、センサが高精度であったとしても、センサと対象物との間の遮蔽物の存在等によっては、当該センサによって、適切に対象物が検出できない場合がある。
【００１２】
例えば、複数のセンサの重なり合う計測対象エリアにおいてそれぞれのセンサが対象物を検出した場合に、センサごとの検出精度の違い等により、同一の対象物が別個の対象物と誤検出されてしまう場合がある。このような場合に、同一の対象物を別個の対象物とする表示情報が生成されるため、適切な運転支援制御を行うことが困難になる場合がある。
【００１３】
本開示は、このような事情に鑑みてなされたものであり、複数のセンサ情報から、適切な表示情報を生成することのできる情報生成装置、情報生成方法、コンピュータプログラムおよび車載装置を提供することを目的とする。
[本開示の効果]
【００１４】
本開示によると、複数のセンサ情報から、適切な表示情報を生成することができる。
【００１５】
［本願発明の実施形態の概要］
最初に本発明の実施形態の概要を列記して説明する。
（１）本発明の一実施形態に係る情報生成装置は、互いに共通する検出対象エリアを持つ複数のセンサの各々から、前記検出対象エリアの計測結果を示すセンサ情報を取得するセンサ情報取得部と、前記センサ情報取得部が取得した前記複数のセンサ情報に基づいて、前記複数のセンサの各々が同一の所定エリアに存在する対象物を検出しているか否かを判断する判断部と、前記判断部の判断結果が肯定的であり、かつ前記複数のセンサが検出した前記対象物が同一の対象物か否かを判断するための所定の条件を満たさない場合に、前記複数のセンサの各々が検出した前記対象物を別個に表示するための第１表示情報を生成し、前記判断結果が肯定的であり、かつ前記所定の条件を満たす場合に、前記第１表示情報の表示態様とは異なる表示態様で前記複数のセンサの各々が検出した前記対象物を表示するための第２表示情報を生成する表示情報生成部とを備える。
【００１６】
この構成によると、複数のセンサの各々が所定エリアに存在する対象物を検出している場合に、所定条件を満たす場合と満たさない場合とで、対象物の表示態様を変化させることができる。例えば、複数の対象物が異なる対象物である場合に複数の対象物を別個に表示させ、複数の対象物が同一の対象物である場合に、上記表示とは異なる表示態様で複数の対象物を表示させることができる。これにより、複数の対象物が異なる対象物と判断されたのか、同一の対象物と判断されたのかの別をユーザは知ることができる。これにより、複数のセンサ情報から、適切な表示情報を生成することができる。
【００１７】
（２）好ましくは、前記複数のセンサの一つから得られたセンサ情報に基づく対象物の位置から所定距離内のエリアを前記所定エリアとする。
【００１８】
この構成によると、所定エリアに含まれる対象物が単数となるように、所定エリアを設定しやすい。
【００１９】
（３）さらに好ましくは、前記第２表示情報は、前記複数のセンサの各々が検出した前記対象物のうち、いずれか１つの前記対象物を表示するための情報を含む。
【００２０】
この構成によると、例えば、所定エリアに存在する複数の対象物が同一の対象物である場合に、１つの対象物しか表示されないようにすることができる。これにより、実際の対象物と同じ数の対象物を表示させることができる。
【００２１】
（４）また、前記表示情報生成部は、前記複数のセンサの種別に基づいて、いずれか１つの前記対象物を選択することにより、選択した前記対象物を表示するための前記第２表示情報を生成する。
【００２２】
この構成によると、検出精度の高いセンサにより選択された対象物を選択して表示させることができる。これにより、対象物を高精度で表示させることができる。
【００２３】
（５）また、前記表示情報生成部は、前記複数のセンサの設置対象に基づいて、いずれか１つの前記対象物を選択することにより、選択した前記対象物を表示するための前記第２表示情報を生成してもよい。
【００２４】
この構成によると、例えば、路側等に設置された路側センサの検出結果を、車載センサの検出結果よりも優先させて対象物を選択させることができる。路側センサは固定されているため、センサが移動する車載センサよりもセンサ自体の位置精度が高く、これにより、対象物の検出精度も高くなる。このため、対象物を高精度で表示させることができる。
【００２５】
（６）また、前記表示情報生成部は、前記各センサから当該各センサが検出した前記対象物までの距離に基づいて、いずれか１つの前記対象物を選択することにより、選択した前記対象物を表示するための前記第２表示情報を生成してもよい。
【００２６】
この構成によると、例えば、対象物までの距離が近いセンサを優先させて、センサが検出した対象物を選択することができる。センサに近い位置では遠い位置に比べて、対象物を高精度に検出することができる。これにより、対象物を高精度で表示させることができる。
【００２７】
（７）また、前記第２表示情報は、前記複数のセンサの各々が検出した前記対象物を統合した対象物を表示するための情報を含んでもよい。
【００２８】
この構成によると、所定エリアに存在する複数の対象物が同一の対象物である場合に、複数の対象物を１つに統合して表示することができる。これにより、実際の対象物と同じ数の対象物を表示させることができる。
【００２９】
（８）また、前記第２表示情報は、前記複数のセンサの各々が検出した前記対象物を点滅させて表示するための情報を含んでもよい。
【００３０】
この構成によると、所定エリアに存在する複数の対象物が同一の対象物である場合に、複数の対象物を点滅させて表示することができる。これにより、複数の対象物が同一の対象物であることをユーザに知らせることができる。
【００３１】
（９）また、前記第２表示情報は、前記複数のセンサの各々が検出した前記対象物の平均の位置に１つの対象物を表示するための情報を含んでもよい。
【００３２】
この構成によると、所定エリアに存在する複数の対象物が同一の対象物である場合に、１つの対象物しか表示されないようにすることができる。また、対象物の表示位置は、複数の対象物の平均の位置である。位置を平均することにより、対象物の位置を正確な位置に近づけることができる。これにより、実際の対象物と同じ数の対象物を正確な位置に表示させることができる。
【００３３】
（１０）また、前記所定の条件は、前記複数のセンサが検出した前記対象物の位置に基づく条件を含んでもよい。
【００３４】
この構成によると、所定エリアに存在する複数の対象物の位置に基づいて、複数の対象物が同一の対象物か否かを判定することができる。
【００３５】
（１１）また、前記所定の条件は、前記複数のセンサが過去の所定時刻において検出した前記対象物間の距離が所定の距離閾値以下であることを含んでもよい。
【００３６】
複数の対象物が同一の場合には、過去の所定時刻において複数の対象物は同じ位置に存在する。このため、上述の所定の条件を判定することにより、所定エリアに存在する複数の対象物が同一の対象物か否かを正確に判定することができる。
【００３７】
（１２）また、前記所定の条件は、前記複数のセンサが検出した前記対象物の方向の差が所定の角度閾値以下であることを含んでもよい。
【００３８】
複数の対象物が同一の場合には、複数の対象物は同じ方向を向いている。このため、上述の所定の条件を判定することにより、所定エリアに存在する複数の対象物が同一の対象物か否かを正確に判定することができる。
【００３９】
（１３）また、前記所定の条件は、前記複数のセンサが検出した前記対象物の速度の差が所定の速度閾値以下であることを含んでもよい。
【００４０】
複数の対象物が同一の場合には、複数の対象物の速度は同じである。このため、上述の所定の条件を判定することにより、所定エリアに存在する複数の対象物が同一の対象物か否かを正確に判定することができる。
【００４１】
（１４）また、前記各閾値は、前記複数のセンサの種別に基づいて定められてもよい。
【００４２】
センサの種別によって、センサの検出精度は異なる。このため、高精度な複数のセンサの各々が所定エリアに存在する対象物を検出した場合には閾値を小さな値に設定し、低精度な複数のセンサの各々が所定エリアに存在する対象物を検出した場合には閾値を大きな値に設定することで、所定エリアに存在する複数の対象物が同一の対象物か否かを正確に判定することができる。
【００４３】
（１５）また、前記各閾値は、前記複数のセンサの設置対象に基づいて定められてもよい。
【００４４】
例えば、路側等に設置された路側センサは、車載センサよりも検出精度が高い。このため、複数の路側センサの各々が対象物を検出した場合には閾値を小さな値に設定し、複数の車載センサの各々が対象物を検出した場合には閾値を大きな値に設定することで、所定エリアに存在する複数の対象物が同一の対象物か否かを正確に判定することができる。
【００４５】
（１６）また、前記各閾値は、前記複数のセンサの検出精度に基づいて定められてもよい。
【００４６】
この構成によると、高精度な複数のセンサの各々が所定エリアに存在する対象物を検出した場合には閾値を小さな値に設定し、低精度な複数のセンサの各々が所定エリアに存在する対象物を検出した場合には閾値を大きな値に設定することで、所定エリアに存在する複数の対象物が同一の対象物か否かを正確に判定することができる。
【００４７】
（１７）また、前記各閾値は、前記複数のセンサの位置精度に基づいて定められてもよい。
【００４８】
対象物の位置は、センサの位置と、センサから対象物までの距離に基づいて定められるため、センサの位置精度は対象物の位置精度に影響を与える。このため、位置精度が高い複数のセンサの各々が所定エリアに存在する対象物を検出した場合には閾値を小さな値に設定し、位置精度が低い複数のセンサの各々が所定エリアに存在する対象物を検出した場合には閾値を大きな値に設定することで、所定エリアに存在する複数の対象物が同一の対象物か否かを正確に判定することができる。
【００４９】
（１８）また、前記所定の条件は、前記複数のセンサが検出した前記対象物のサイズ、色および形状のうちの少なくとも１つに基づく条件を含んでもよい。
【００５０】
同一車線を走行する車両同士または隣接する車線を並走する車両同士は、近い位置を同一の方向に同一の速度で走行する場合がある。このような場合には、これらの車両同士が同一の対象物か否かを判断するのが困難な場合がある。このような場合に、対象物のサイズ、色および形状のうちの少なくとも１つに基づいた条件の判断処理を行うことで、所定エリアに存在する複数の対象物が同一の対象物か否かを正確に判定することができる。
【００５１】
（１９）また、前記判断部は、前記各センサと当該各センサが検出した前記対象物との位置関係に基づいて、検出した当該対象物を判断対象とするか否かを決定してもよい。
【００５２】
この構成によると、例えば、センサの検出範囲内に対象物が存在しており、対象物までの距離が近い場合にのみ、所定エリアに存在する複数の対象物が同一の対象物か否かを判定することができる。これにより、センサから遠方に位置する検出精度の低い対象物に対しては判定処理を行わずに、検出精度の高い対象物に対してのみ判定処理を行うようにすることができる。これにより、判定処理の信頼性を高めることができ、所定エリアに存在する複数の対象物が同一の対象物か否かを正確に判定することができる。
【００５３】
（２０）本発明の他の実施形態に係る情報生成方法は、上述の情報生成装置が実行する処理を含む。
このため、上述の情報生成装置と同様の作用および効果を奏することができる。
【００５４】
（２１）本発明の他の実施形態に係るコンピュータプログラムは、コンピュータを、上述の情報生成装置として機能させる。
このため、上述の情報生成装置と同様の作用および効果を奏することができる。
【００５５】
（２２）本発明の他の実施形態に係る車載装置は、上述の情報生成装置から、当該情報生成装置が生成した前記第１表示情報および第２表示情報のうちの少なくとも１つの表示情報を取得する表示情報取得部と、前記表示情報取得部が取得した前記表示情報に基づく画面への表示を制御する表示制御部とを備える。
【００５６】
この構成によると、上述の情報生成装置で作成された第１表示情報および第２表示情報のうちの少なくとも１つの表示情報を画面に表示することができる。このため、複数のセンサ情報から生成された適切な表示情報を画面に表示することができる。
【００５７】
［本願発明の実施形態の詳細］
以下、本発明の実施形態について、図面を用いて詳細に説明する。なお、以下で説明する実施形態は、いずれも本発明の好ましい一具体例を示すものである。以下の実施形態で示される数値、形状、材料、構成要素、構成要素の配置位置および接続形態、ステップ、ステップの順序などは、一例であり、本発明を限定する主旨ではない。本発明は、請求の範囲によって特定される。よって、以下の実施形態における構成要素のうち、本発明の最上位概念を示す独立請求項に記載されていない構成要素については、本発明の課題を達成するのに必ずしも必要ではないが、より好ましい形態を構成するものとして説明される。
【００５８】
また、同一の構成要素には同一の符号を付す。それらの機能および名称も同様であるため、それらの説明は適宜省略する。
【００５９】
［無線通信システムの全体構成］
図１は、本発明の実施形態に係る無線通信システムの全体構成図である。
【００６０】
図１に示すように、本実施形態の無線通信システムは、車両制御システムとして機能し、無線通信が可能な複数の路側センサ１および車両２と、路側センサ１および車両２と無線通信する１または複数の基地局４と、基地局４とネットワークを介して有線または無線で通信するサーバ５とを備える。
【００６１】
基地局４は、マクロセル基地局、マイクロセル基地局、およびピコセル基地局のうちの少なくとも１つよりなる。
【００６２】
本実施形態の無線通信システムにおいて、サーバ５は、例えば、ＳＤＮ（Software-Defined Networking）が可能な汎用サーバよりなる。また、基地局４および図示しないリピータなどの中継装置は、ＳＤＮが可能なトランスポート機器によりなる。
【００６３】
上記のＳＤＮに代表されるネットワーク仮想化技術は、現時点で規格化が進行中の「第５世代移動通信システム」（以下、「５Ｇ」（5th Generation）と略記する。）の基本コンセプトである。したがって、本実施形態の無線通信システムは、例えば５Ｇよりなる。
【００６４】
路側センサ１は、無線通信機能を有し、道路に設置された画像式車両感知器またはＬｉＤＡＲ、屋外または屋内に設置された防犯カメラなどの各種センサを含んで構成される。
【００６５】
車両２は、無線通信機能を有する車載装置３を含む。車載装置３は、カメラ、ミリ波レーダなどの各種センサ（以下、「車載センサ」という。）を含んで構成される。
【００６６】
車両２には、通常の乗用車だけでなく、路線バスや緊急車両などの公共車両も含まれる。また、車両２は、四輪車だけでなく、二輪車（バイク）であってもよい。
【００６７】
車両２の駆動方式は、エンジン駆動、電気モータ駆動、およびハイブリッド方式のいずれでもよい。車両２の運転方式は、搭乗者が加減速やハンドル操舵などの操作を行う通常運転、およびその操作をソフトウェアが実行する自動運転のいずれでもよい。
【００６８】
［サーバの構成］
図２は、サーバ５の構成の一例を示すブロック図である。
【００６９】
図２に示すように、サーバ５は、情報生成装置として機能し、ＣＰＵ（Central Processing Unit）などを含む制御部５１と、ＲＯＭ（Read Only Memory）５５と、ＲＡＭ（Random Access Memory）５６と、記憶部５７と、通信部５８とを備える。
【００７０】
制御部５１は、ＲＯＭ５５に予め記憶された１または複数のプログラムをＲＡＭ５６に読み出して実行することにより、各ハードウェアの動作を制御し、コンピュータ装置を基地局４と通信可能なサーバ５として機能させる。つまり、制御部５１は、プログラムを実行することにより実現される機能な処理部として、センサ情報取得部５２と、判断部５３と、表示情報生成部５４とを備える。
【００７１】
ＲＡＭ５６は、ＳＲＡＭ（Static ＲＡＭ）またはＤＲＡＭ（Dynamic ＲＡＭ）などの揮発性のメモリ素子で構成され、制御部５１が実行するプログラムおよびその実行に必要なデータを一時的に記憶する。
【００７２】
記憶部５７は、フラッシュメモリ若しくはＥＥＰＲＯＭ（Electrically Erasable Programmable Read Only Memory）などの不揮発性のメモリ素子、または、ハードディスクなどの磁気記憶装置などにより構成されている。
【００７３】
通信部５８は、５Ｇ対応の通信処理を実行する通信装置よりなり、ネットワークを介して基地局４と通信する。通信部５８は、制御部５１から与えられた情報を、ネットワークを介して外部装置に送信するとともに、ネットワークを介して受信した情報を制御部５１に与える。
【００７４】
制御部５１のセンサ情報取得部５２は、所定の周期ごとに、サーバ５のサービスエリア内で車両２や路側センサ１などが計測した各種のセンサ情報を、車両２や路側センサ１などから取得する。つまり、センサ情報取得部５２は、各センサから、当該センサの検出対象エリアの計測結果を示すセンサ情報を取得する。
【００７５】
図３は、センサ情報取得部５２が取得するセンサ情報の一例を示す図である。
例えば、路側には、路側センサ１としてミリ波レーダ（以下、「路側ミリ波レーダ」という。）１Ｍと、カメラ（以下、「路側カメラ」という。）１Ｃとが設置されているものとする。路側ミリ波レーダ１Ｍは、検出対象エリア７Ｍを監視し、検出対象エリア７Ｍ内で車両２Ｉを検出したものとする。一方、路側カメラ１Ｃは、検出対象エリア７Ｃを監視し、検出対象エリア７Ｃ内で車両２Ｊを検出したものとする。これにより、センサ情報取得部５２は、路側ミリ波レーダ１Ｍから車両２Ｉの位置情報を含むセンサ情報を取得し、路側カメラ１Ｃから車両２Ｊの位置情報を含むセンサ情報を取得する。なお、図３には、路側センサ１を示しているが、車載センサであってもよい。また、路側センサ１として、ＬｉＤＡＲや超音波センサなどを用いてもよい。
【００７６】
制御部５１の判断部５３は、センサ情報取得部５２が取得したセンサ情報に基づいて、複数のセンサの各々が同一の所定エリアに存在する対象物を検出しているか否かを判断する。
【００７７】
図３に示した例で車両２Ｉから所定距離以内のエリア８を所定エリアとした場合には、エリア８内に車両２Ｉおよび２Ｊが検出されている。このため、判断部５３による上記の判断結果は肯定的である。なお、この所定エリアに含まれる車両は基本的に１台となるように、車両の大きさを考慮してこの所定距離を定めるとし、所定エリアに含まれる車両が複数か否かは判断部５３によって判断している。
【００７８】
制御部５１の表示情報生成部５４は、判断部５３の判断結果が肯定的であり、かつ所定の条件を満たさない場合に、複数のセンサの各々が検出した対象物を別個に表示するための第１表示情報を生成する。ここで、所定の条件とは、上記の所定エリア（エリア８）に存在する複数の対象物が同一の対象物であると判断するための条件である。所定の条件の詳細については後述する。つまり、表示情報生成部５４は、所定エリア内に複数の対象物が検出され、当該複数の対象物が異なる対象物である場合に、それら複数の対象物を別々に表示するための第１表示情報を生成する。
【００７９】
図４Ａは、第１表示情報の一例を示す図である。第１表示情報においては、車両２Ｉと車両２Ｊとが別々に表示される。なお、第１表示情報および後述する第２表示情報において、各車両は、例えば、車両のアイコンで表示される。
【００８０】
一方、表示情報生成部５４は、判断部５３の判断結果が肯定的であり、かつ上記所定の条件を満たす場合に、第１表示情報の表示態様とは異なる表示態様で複数のセンサの各々が検出した対象物を表示するための第２表示情報を生成する。つまり、表示情報生成部５４は、所定エリア内に複数の対象物が検出され、当該複数の対象物が同一の対象物である場合に、それら複数の対象物を、第１表示情報の表示態様とは異なる表示態様で表示するための第２表示情報を生成する。
【００８１】
図４Ｂ〜図４Ｆの各々は、第２表示情報の一例を示す図である。
図４Ｂに示す第２表示情報においては、複数のセンサの各々が検出した対象物のうち、いずれか１つの対象物が表示される。つまり、当該第２表示情報では、図４Ａの第１表示情報で示された車両２Ｉおよび車両２Ｊのうち、車両２Ｊが選択されて表示される。なお、車両２Ｉが選択されて表示されてもよい。表示対象の対象物はランダムに選択されてもよいし、以下に説明する基準に従い選択されてもよい。
【００８２】
例えば、表示情報生成部５４は、複数のセンサの種別に基づいて、複数の対象物のうちいずれか１つの対象物を選択してもよい。カメラやＬｉＤＡＲは高精度であるが、ミリ波レーダはそれらに比べて低精度である。このため、精度の高い順にセンサの優先順位を決めておき、表示情報生成部５４は、優先順位が最も高いセンサが検出した対象物を選択するようにしてもよい。これにより、対象物を高精度で表示させることができる。ここで、サーバ５は、センサ種別とセンサＩＤとを対応付けるテーブルを参照して、センサ情報取得部５２が取得したセンサ情報に含まれるセンサＩＤからセンサ種別を判断してもよい。なお、センサ情報にセンサの検出精度情報が付加されていてもよい。これにより、表示情報生成部５４は、検出精度情報に基づいて、高い検出精度のセンサ情報を優先して、当該センサ情報に対応する対象物を選択することができる。
【００８３】
また、表示情報生成部５４は、複数のセンサの設置対象に基づいて、複数の対象物のうちいずれか１つの対象物を選択してもよい。路側等に設置された路側センサ１は、車両２に設置された車載センサよりも検出精度が高い場合が多い。このため、表示情報生成部５４は、路側センサ１が検出した対象物を、車載センサが検出した対象物よりも優先して選択する。これにより、対象物を高精度で表示させることができる。ここで、サーバ５は、センサの設置対象とセンサＩＤとを対応付けるテーブルを参照して、センサ情報取得部５２が取得したセンサ情報に含まれるセンサＩＤからセンサの設置対象を判断してもよい。
【００８４】
また、表示情報生成部５４は、各センサから当該センサが検出した対象物までの距離に基づいて、複数の対象物のうちいずれか１つの対象物を選択してもよい。対象物までの距離が近いほどセンサの検出精度は高い。このため、表示情報生成部５４は、対象物までの距離が最も近いセンサが検出した対象物を選択する。これにより、対象物を高精度で表示させることができる。
【００８５】
図４Ｃに示す第２表示情報においては、複数のセンサの各々が検出した対象物の平均の位置に１つの対象物が表示される。つまり、当該第２表示情報では、図４Ａの第１表示情報で示された車両２Ｉおよび車両２Ｊの平均の位置に、車両２Ｌが表示される。位置を平均することにより、対象物の位置を正確な位置に近づけることができる。これにより、実際の対象物と同じ数の対象物を正確な位置に表示させることができる。
【００８６】
図４Ｄに示す第２表示情報においては、複数のセンサの各々が検出した対象物を統合した対象物が表示される。つまり、当該第２表示情報では、図４Ａの第１表示情報で示された車両２Ｉおよび車両２Ｊの位置に、車両２Ｉおよび車両２Ｊをカバーするサイズの車両２Ｎが表示される。
【００８７】
図４Ｅに示す第２表示情報においては、複数のセンサの各々が検出した対象物が点滅しながら表示される。つまり、当該第２表示情報では、図４Ａの第１表示情報で示された車両２Ｉおよび車両２Ｊが点滅しながら表示される。これにより、車両２Ｉおよび車両２Ｊが同一の車両２であることをユーザに知らせることができる。
【００８８】
図４Ｆに示す第２表示情報においては、複数のセンサの各々が検出した対象物が、第１表示情報で示された対象物と異なる色で表示される。つまり、当該第２表示情報では、図４Ａの第１表示情報で示された車両２Ｉおよび車両２Ｊが、それらとは異なる色で表示される。
【００８９】
表示情報生成部５４は、例えば、図４Ｂ〜図４Ｆに示した少なくとも１つの表示態様の第２表示情報を作成する。なお、表示情報生成部５４は、これらの表示態様を組み合わせた第２表示情報を作成することもできる。
【００９０】
表示情報生成部５４は、車両２の車載装置３や、ユーザが所持する通信端末から、表示情報の要求メッセージを受信すると、生成した表示情報を要求メッセージの送信元の車載装置３または通信端末に配信する。
【００９１】
次に、所定エリアに存在する複数の対象物が同一の対象物であると判断するための所定の条件について説明する。
【００９２】
図５は、所定エリアに存在する複数の対象物が同一の対象物であると判断するための所定の条件について説明するための図である。
【００９３】
所定の条件は、複数のセンサが検出した対象物の位置に基づく条件を含む。例えば、複数の対象物が同一の対象物である場合には、現在および過去のいずれにおいても、複数の対象物の位置は一致していると考えられる。一方、複数の対象物が異なる対象物である場合には、複数の対象物の現在の位置が一致していたとしても、過去において両者の位置は異なると考えられる。このため、表示情報生成部５４は、現在時刻よりｋ秒前（ｋは正の値）の時刻において複数の対象物の位置が一致していれば、それらは同一の対象物であると判断し、一致していなければ、それらが別の対象物であると判断する。なお、厳密に対象物の位置が一致してなくても、対象物間の距離が所定の距離閾値以下である場合に両者の位置は一致しているとすることができる。なお、距離閾値は正の値である。
【００９４】
図５に示すように、車両２Ｉは北向きに走行し、車両２Ｋは東向きに走行しているものとする。この場合、現在時刻ｔにおいて両者の位置は一致しているが、現在時刻ｔよりもｋ秒前の時刻（ｔ−ｋ）においては両者の位置は異なる。このため、表示情報生成部５４は、車両２Ｋおよび車両２Ｊは別の車両であると判断する。
【００９５】
所定の条件は、複数のセンサが検出した対象物の方向の差が所定の角度閾値以下であることを含んでいてもよい。つまり、表示情報生成部５４は、方向の差が所定の角度閾値以下の場合に複数の対象物が同一であると判定し、方向の差が所定の角度閾値よりも大きい場合に複数の対象物が異なると判定する。なお、角度閾値は正の値である。図５に示す例では、車両２Ｉは、その位置変化から北向きに走行していると判断することができ、車両２Ｋは、その位置変化から東向きに走行していると判断することができる。このため、両者の方向の差は、およそ９０°である。例えば角度閾値を５°とした場合には、表示情報生成部５４は、車両２Ｋおよび車両２Ｊは別の車両であると判断する。
【００９６】
所定の条件は、複数のセンサが検出した対象物の速度の差が所定の速度閾値以下であることを含んでいてもよい。対象物の速度は、対象物の２地点間の距離および時間に基づいて算出される。速度閾値は正の値である。図５に示す例では、車両２Ｉおよび車両２Ｋの速度が、それぞれｖ１およびｖ２と算出されたものとする。表示情報生成部５４は、速度ｖ１およびｖ２の差の絶対値が所定の速度閾値以下の場合に、車両２Ｉおよび２Ｋが同一であると判断し、速度の差の絶対値が所定の速度閾値よりも大きい場合に、車両２Ｉおよび２Ｋが異なると判断する。
【００９７】
所定の条件は、複数のセンサが検出した対象物のサイズ、色および形状のうちの少なくとも１つに基づく条件を含んでいてもよい。例えば、センサがカメラの場合には、対象物のサイズ、色および形状を検知することができる。
【００９８】
このため、所定の条件は、複数のセンサが検出した対象物のサイズの差が、所定のサイズ閾値以下であることを含んでいてもよい。例えば、対象物のサイズを画像中で対象物が占める領域の画素数とした場合には、対象物に対応する領域の画素数の差が所定のサイズ閾値以下である場合に、所定の条件を満たすとしてもよい。
【００９９】
また、所定の条件は、複数のセンサが検出した対象物の色の差が所定の色閾値以下であることを含んでいてもよい。例えば、対象物のＲ，ＧおよびＢの各色の輝度の平均値の差が色閾値以下の場合に、所定の条件を満たすとしてもよい。
【０１００】
さらに、所定の条件は、複数のセンサが検出した対象物の形状が類似することを含んでいてもよい。例えば、画像中の対象物の形状を矩形近似した場合に、対象物の形状を対象物に対応する矩形の長辺と短辺の比で示す。複数のセンサが検出した対象物に対応する上記比の差が所定の比閾値以下である場合に、所定の条件を満たすとしてもよい。
【０１０１】
対象物のサイズ、色または形状を用いて所定の条件を判断することにより、同一車線を走行する複数の車両または隣接する車線を並走する複数の車両を誤って１台の車両と判断することを防ぐことができる。これにより、所定エリアに存在する複数の対象物が同一の対象物か否かを正確に判定することができる。
【０１０２】
なお、上述した各種の所定の条件を判断する際に用いられる速度閾値、角度閾値等の各種閾値は、複数のセンサの種別に基づいて定められてもよい。例えば、カメラやＬｉＤＡＲは高精度であるが、ミリ波レーダはそれらに比べて低精度である。このため、対象物を検出した複数のセンサの全てが高精度なセンサ（カメラまたはＬｉＤＡＲ）の場合には閾値を小さな値（第１閾値）に設定し、当該複数のセンサの中に低精度なセンサ（例えば、ミリ波レーダ）が含まれる場合には閾値を大きな値（第１閾値よりも大きい第２閾値）に設定してもよい。このように、センサの精度に応じて閾値を設定することで、所定エリアに存在する複数の対象物が同一の対象物か否かを正確に判定することができる。ここで、サーバ５は、センサ種別とセンサＩＤとを対応付けるテーブルを参照して、センサ情報取得部５２が取得したセンサ情報に含まれるセンサＩＤからセンサ種別を判断してもよい。      
【０１０３】
また、上記の各種閾値は、複数のセンサの設置対象に基づいて定められてもよい。路側等に設置された路側センサ１は、車両２に設置された車載センサよりも検出精度が高い場合が多い。このため、複数の路側センサ１の各々が対象物を検出した場合には閾値を小さな値（第１閾値）に設定し、複数の車載センサの各々が対象物を検出した場合には閾値を大きな値（第１閾値よりも大きい第２閾値）に設定する。これにより、所定エリアに存在する複数の対象物が同一の対象物か否かを正確に判定することができる。ここで、サーバ５は、センサの設置対象とセンサＩＤとを対応付けるテーブルを参照して、センサ情報取得部５２が取得したセンサ情報に含まれるセンサＩＤからセンサの設置対象を判断してもよい。
【０１０４】
また、上記の各種閾値は、複数のセンサの検出精度に基づいて定められてもよい。対象物を検出した複数のセンサの全てが高精度なセンサの場合には閾値を小さな値（第１閾値）に設定し、当該複数のセンサの中に低精度なセンサが含まれる場合には閾値を大きな値（第１閾値よりも大きい第２閾値）に設定してもよい。これにより、所定エリアに存在する複数の対象物が同一の対象物か否かを正確に判定することができる。ここで、サーバ５は、センサの検出精度とセンサＩＤとを対応付けるテーブルを参照して、センサ情報取得部５２が取得したセンサ情報に含まれるセンサＩＤからセンサの検出精度を判断してもよい。
【０１０５】
また、上記の各種閾値は、複数のセンサの位置精度に基づいて定められてもよい。路側等に設置された路側センサ１は固定されているため、車両２に設置された車載センサよりもセンサの位置精度が高い。対象物の絶対位置は、センサの絶対位置と、センサから対象物までの相対位置で規定することができる。このため、センサの絶対位置の検出精度が低い場合には、対象物の絶対位置の検出精度までも低くなる。つまり、センサの位置精度が高いほど、対象物の絶対位置の検出精度も高くなる。よって、対象物を検出した複数のセンサの全ての位置精度が高い場合には閾値を小さな値（第１閾値）に設定し、当該複数のセンサの中に位置精度が低いセンサが含まれる場合には閾値を大きな値（第１閾値よりも大きい第２閾値）に設定してもよい。これにより、所定エリアに存在する複数の対象物が同一の対象物か否かを正確に判定することができる。ここで、サーバ５は、センサの位置精度とセンサＩＤとを対応付けるテーブルを参照して、センサ情報取得部５２が取得したセンサ情報に含まれるセンサＩＤからセンサの位置精度を判断してもよい。また、後述するように、センサ情報にセンサの位置精度情報が含まれていてもよい。
【０１０６】
［車載装置の構成］
図６は、車載装置３の構成の一例を示すブロック図である。
【０１０７】
図６に示すように、車両２の車載装置３は、制御部（ＥＣＵ：Electronic Control Unit）３１と、ＧＰＳ（Global Positioning System）受信機３２と、車速センサ３３と、ジャイロセンサ３４と、記憶部３５と、ディスプレイ３６と、スピーカ３７と、入力デバイス３８と、カメラ３９と、ミリ波レーダ４０と、通信部４１とを備える。
【０１０８】
通信部４１は、例えば５Ｇ対応の通信処理が可能な無線通信機よりなる。なお、通信部４１は、車両２に既設の無線通信機であってもよいし、搭乗者が車両２に持ち込んだ携帯端末であってもよい。
【０１０９】
搭乗者の携帯端末は、車両２の車内ＬＡＮ（Local Area Network）に接続されることにより、一時的に車載の無線通信機となる。
【０１１０】
制御部３１は、車両２の経路探索および他の電子機器３２〜４１の制御などを行うコンピュータ装置よりなる。制御部３１は、ＧＰＳ受信機３２が定期的に取得するＧＰＳ信号により自車両の車両位置を求める。なお、制御部３１は、図示しない準天頂衛星から送信される信号を受信する受信機が受信したＧＰＳ補完信号またはＧＰＳ補強信号を合わせて用いることで、ＧＰＳ信号を補完したり、自車両の車両位置を補正したりしてもよい。
【０１１１】
制御部３１は、車速センサ３３およびジャイロセンサ３４の入力信号に基づいて、車両位置および方位を補完し、車両２の正確な現在位置および方位を把握する。
【０１１２】
ＧＰＳ受信機３２、車速センサ３３およびジャイロセンサ３４は、車両２の現在位置、速度および向きを計測するセンサ類である。
【０１１３】
記憶部３５は、地図データベースを備える。地図データベースは、制御部３１に道路地図データを提供する。道路地図データは、リンクデータやノードデータを含み、ＤＶＤ、ＣＤ−ＲＯＭ、メモリカード、またはＨＤＤなどの記録媒体に格納されている。記憶部３５は、記録媒体から必要な道路地図データを読み出して制御部３１に提供する。
【０１１４】
ディスプレイ３６とスピーカ３７は、制御部３１が生成した各種情報を車両２の搭乗者であるユーザに通知するための出力装置である。
【０１１５】
具体的には、ディスプレイ３６は、経路探索の際の入力画面、自車周辺の地図画像および目的地までの経路情報などを表示する。スピーカ３７は、車両２を目的地に誘導するためのアナウンスなどを音声出力する。これらの出力装置は、通信部４１が受信した提供情報を搭乗者に通知することもできる。
【０１１６】
入力デバイス３８は、車両２の搭乗者が各種の入力操作を行うためのデバイスである。入力デバイス３８は、ハンドルに設けた操作スイッチ、ジョイスティック、およびディスプレイ３６に設けたタッチパネルなどの組み合わせよりなる。
【０１１７】
搭乗者の音声認識によって入力を受け付ける音声認識装置を、入力デバイス３８とすることもできる。入力デバイス３８が生成した入力信号は、制御部３１に送信される。
【０１１８】
カメラ３９は、車両２の前方の映像を取り込む画像センサよりなる。カメラ３９は、単眼または複眼のいずれでもよい。ミリ波レーダ４０は、車両２の前方や周囲に存在する対象物を検出するセンサよりなる。なお、ミリ波レーダ４０の代わりに、または、ミリ波レーダ４０とともに、ＬｉＤＡＲや、レーザレーダ、超音波レーダなどの各種センサを用いることができる。
【０１１９】
制御部３１は、カメラ３９およびミリ波レーダ４０による計測データや、サーバ５から取得したセンサ情報に基づいて、運転中の搭乗者に対する注意喚起をディスプレイ３６に出力させたり、強制的なブレーキ介入を行ったりする運転支援制御を実行することができる。
【０１２０】
制御部３１は、記憶部３５に格納された各種の制御プログラムを実行する、マイクロコンピュータなどの演算処理装置により構成されている。
【０１２１】
制御部３１は、上記制御プログラムを実行することにより、車両２の安全運転を支援する機能、ディスプレイ３６に地図画像を表示させる機能、出発地から目的地までの経路（中継地がある場合はその位置を含む。）を算出する機能、算出した経路に従って車両２を目的地まで誘導する機能など、各種のナビゲーション機能を実行可能である。
【０１２２】
制御部３１は、カメラ３９およびミリ波レーダ４０のうちの少なくとも１つの計測データに基づいて、自車両の前方または周囲の対象物を認識する認識処理と、認識した対象物までの距離を算出する測距処理が可能である。
【０１２３】
制御部３１は、測距処理により算出した距離と、自車両のセンサ位置とから、認識処理によって認識した対象物の位置情報を算出することができる。
【０１２４】
制御部３１は、表示情報取得部３１Ａおよび表示制御部３１Ｂを有し、サーバ５との通信において、以下の各処理を実行可能である。
１）要求メッセージの送信処理
２）表示情報の受信処理
３）通信パケットの送信処理
【０１２５】
要求メッセージの送信処理とは、表示情報取得部３１Ａが、サーバ５が生成する表示情報の配信を要求する制御パケットを、サーバ５に送信する処理のことである。制御パケットには、自車両の車両ＩＤが含まれる。
【０１２６】
サーバ５は、所定の車両ＩＤを含む要求メッセージを受信すると、送信元の車両ＩＤを有する車両２の通信部４１宛てに、表示情報を所定の配信周期で配信する。
【０１２７】
表示情報の受信処理とは、表示情報取得部３１Ａが、自装置に宛ててサーバ５が配信した表示情報を受信する処理のことである。
【０１２８】
表示制御部３１Ｂは、受信した表示情報をディスプレイ３６に表示させるための処理を実行する。
【０１２９】
例えば、表示制御部３１Ｂは、受信した表示情報を地図画像に重畳し、ディスプレイ３６に表示させる。
【０１３０】
車両２における通信パケットの送信処理とは、カメラ３９またはミリ波レーダ４０による対象物の検出結果を示すセンサ情報を含む通信パケットを、サーバ５宛に送信する処理のことである。通信パケットの送信処理は、サーバ５による表示情報の配信周期内に行われる。
【０１３１】
センサ情報には、対象物の位置情報（対象物の緯度情報および経度情報）の他、車両２（カメラ３９またはミリ波レーダ４０）から対象物までの距離情報、車両２の位置情報（車両２の緯度情報よび経度情報）、車両２の速度情報、車両２の方位情報、センサの位置精度情報などが含まれる。センサの位置精度情報とは、つまり、車両２の位置精度を示す情報のことである。センサの位置精度情報は、例えば、以下に示す（ａ）〜（ｇ）などにより定められる。
【０１３２】
（ａ）ＤＲ（自律航法、ジャイロセンサ３４や車速センサ３３などの車速パルスやバック信号による位置の補正）の有無
（ｂ）マップマッチングによる補正の有無
（ｃ）記憶部３５に記憶されている道路地図データの精度
（ｄ）車両２の位置を求める際に用いたＧＰＳ衛星の数
（ｅ）ＧＰＳ受信機３２のＣ／Ｎ０（搬送波雑音電力密度比）
（ｆ）ＧＰＳクオリティ
（ｇ）ＰＤＯＰ（位置精度低下率）
【０１３３】
制御部３１は、通信パケットに自車両の車両ＩＤを含めて、サーバ５宛に送信する。
【０１３４】
［路側センサの構成］
図７は、路側センサ１の構成の一例を示すブロック図である。
【０１３５】
図７に示すように、路側センサ１は、制御部１１と、記憶部１２と、カメラ１３と、ミリ波レーダ１４と、通信部１５とを備える。
【０１３６】
通信部１５は、例えば５Ｇ対応の通信処理が可能な無線通信機よりなる。
【０１３７】
したがって、路側センサ１は、サーバ５と通信することができる。
【０１３８】
制御部１１は、ＣＰＵ、ＲＯＭ及びＲＡＭなどを含む。制御部１１は、記憶部１２に記憶されたプログラムを読み出して実行し、路側センサ１の全体の動作を制御する。
【０１３９】
記憶部１２は、ハードディスクや不揮発性のメモリなどより構成され、各種のコンピュータプログラムやデータを記憶する。記憶部１２は、路側センサ１の識別情報であるセンサＩＤを記憶している。センサＩＤは、例えば、路側センサ１の所有者固有のユーザＩＤやＭＡＣアドレスなどよりなる。
【０１４０】
カメラ１３は、所定の撮影エリアの映像を取り込む画像センサよりなる。カメラ１３は、単眼又は複眼のいずれでもよい。ミリ波レーダ１４は、ミリ波レーダ１４の前方や周囲に存在する対象物を検出するセンサよりなる。なお、ミリ波レーダ１４の代わりに、または、ミリ波レーダ１４とともに、ＬｉＤＡＲや、レーザレーダ、超音波レーダなどの各種センサを用いることができる。
【０１４１】
また、路側センサ１には、カメラ１３およびミリ波レーダ１４のいずれか１つのみが備えられていてもよい。
【０１４２】
制御部１１は、カメラ１３及びミリ波レーダ１４のうちの少なくとも１つの計測データに基づいて、撮影エリア内の対象物を認識する認識処理と、認識した対象物までの距離を算出する測距処理が可能である。
【０１４３】
制御部１１は、測距処理により算出した距離と、自車両のセンサ位置とから、認識処理によって認識した対象物の位置情報を算出することができる。
【０１４４】
制御部１１は、サーバ５との通信において、通信パケットの送信処理を実行可能である。
【０１４５】
路側センサ１による通信パケットの送信処理とは、カメラ１３またはミリ波レーダ１４による対象物の検出結果を示すセンサ情報を含む通信パケットを、サーバ５宛に送信する処理のことである。通信パケットの送信処理は、サーバ５による表示情報の配信周期内に行われる。
【０１４６】
センサ情報には、対象物の位置情報（対象物の緯度情報および経度情報）や、路側センサ１から対象物までの距離情報などが含まれる。
制御部１１は、通信パケットにセンサＩＤを含めて、サーバ５宛に送信する。
【０１４７】
［表示情報の配信処理］
図８は、車載装置３、車載カメラ２Ｃ、車載ミリ波レーダ２Ｍ、路側カメラ１Ｃ、路側ミリ波レーダ１Ｍ、およびサーバ５の協働により実行される、表示情報の配信処理の一例を示すシーケンス図である。図８に示されるシーケンスを所定間隔（例えば、１００ｍｓｅｃ間隔）で繰り返すことにより、所定間隔で安全運転支援のための機能が選択され、配信される。
【０１４８】
ここで、車載装置３は、表示情報の提供を受ける車両２に設置された車載装置を示す。車載カメラ２Ｃは、カメラ３９を備える車載装置３を示す。車載ミリ波レーダ２Ｍは、ミリ波レーダ４０を備える車載装置３を示す。路側カメラ１Ｃは、カメラ１３を備える路側センサ１を示す。路側ミリ波レーダ１Ｍは、ミリ波レーダ１４を備える路側センサ１を示す。ただし、これらのセンサは、一例であり、いずれかのセンサが含まれていなくてもよいし、これ以外のセンサが含まれていてもよい。
【０１４９】
以下では、各センサが検出する対象物は移動物体であるとして説明を行うが、検出対象物は静止物体であってもよい。
【０１５０】
車載カメラ２Ｃは、カメラ３９が撮像した映像データに基づいて、車載カメラ２Ｃを備える車両２の前方または周囲を走行する車両２または歩行者６などの移動物体を検出する（Ｓ１）。
【０１５１】
車載ミリ波レーダ２Ｍは、ミリ波レーダ４０の計測データに基づいて、ミリ波レーダ４０を備える車両２の前方または周囲を走行する車両２または歩行者６などの移動物体を検出する（Ｓ２）。
【０１５２】
路側カメラ１Ｃは、カメラ１３が撮像した映像データに基づいて、路側カメラ１Ｃの前方または周囲を走行する他の車両２または歩行者６などの移動物体を検出する（Ｓ３）。
【０１５３】
路側ミリ波レーダ１Ｍは、ミリ波レーダ１４の計測データに基づいて、路側ミリ波レーダ１Ｍの前方または周囲を走行する他の車両２または歩行者６などの移動物体を検出する（Ｓ４）。
【０１５４】
車載カメラ２Ｃは、移動物体の検出結果を含むセンサ情報を含む通信パケットを、サーバ５に送信する（Ｓ５）。サーバ５は、車載カメラ２Ｃから送信された通信パケットを受信する。
【０１５５】
車載ミリ波レーダ２Ｍは、移動物体の検出結果を含むセンサ情報を含む通信パケットを、サーバ５に送信する（Ｓ６）。サーバ５は、車載ミリ波レーダ２Ｍから送信された通信パケットを受信する。
【０１５６】
路側カメラ１Ｃは、移動物体の検出結果を含むセンサ情報を含む通信パケットを、サーバ５に送信する（Ｓ７）。サーバ５は、路側カメラ１Ｃから送信された通信パケットを受信する。
【０１５７】
路側ミリ波レーダ１Ｍは、移動物体の検出結果を含むセンサ情報を含む通信パケットを、サーバ５に送信する（Ｓ８）。サーバ５は、路側ミリ波レーダ１Ｍから送信された通信パケットを受信する。
【０１５８】
サーバ５は、車載カメラ２Ｃ、車載ミリ波レーダ２Ｍ、路側カメラ１Ｃおよび路側ミリ波レーダ１Ｍからそれぞれ受信した通信パケットに含まれるセンサ情報に基づいて、各センサが検出した移動物体を示した表示情報を生成する（Ｓ９）。表示情報（後述の第１表示情報、第２表示情報または第３表示情報）の生成処理（ステップＳ９）については後述する。
【０１５９】
車載装置３は、表示情報の配信を要求する制御パケットを要求メッセージとしてサーバ５に送信する（Ｓ１０）。
【０１６０】
サーバ５は、車載装置３から要求メッセージを受け取り、要求メッセージの送信元である車載装置３に対して、表示情報生成処理（ステップＳ９）で生成された表示情報を送信する（Ｓ１１）。車両２の車載装置３は、当該表示情報を受信し、受信した表示情報をディスプレイ３６に表示させるための処理を実行する。
【０１６１】
［表示情報生成処理（図８のステップＳ９）］
表示情報生成処理（図８のステップＳ９）の詳細について、説明する。
【０１６２】
図９は、表示情報生成処理（図８のステップＳ９）の詳細を示すフローチャートである。
【０１６３】
図９を参照して、サーバ５の判断部５３は、センサ情報取得部５２が取得したセンサ情報に基づいて、あるセンサが検出した移動物体（以下、「第１物体」という。）から所定距離範囲内に他のセンサが検出した移動物体（以下、「第２物体」という。）が存在するか否かを判断する（Ｓ２１）。図３を参照して、第１物体を車両２Ｉとし、所定距離範囲をエリア８とした場合、第１物体から所定距離範囲内に第２物体である車両２Ｊが存在することとなる。
【０１６４】
ステップＳ２１の判断結果が肯定的である場合には（Ｓ２１でＹＥＳ）、表示情報生成部５４は、現在時刻よりｋ秒前（ｋは正の値）の時刻において第１物体および第２物体の位置が一致しているか否かを判断する（Ｓ２２）。つまり、表示情報生成部５４は、現在時刻よりもｋ秒前の第１物体および第２物体間の距離が所定の距離閾値以下である場合に両者の位置が一致していると判断し、当該距離が距離閾値よりも大きい場合に両者の位置が一致していないと判断する。図５は、ｋ秒前の位置が一致していない車両２Ｋおよび車両２Ｉを示している。
【０１６５】
第１物体および第２物体のｋ秒前の位置が一致している場合には（Ｓ２２でＹＥＳ）、表示情報生成部５４は、第１物体および第２物体の進行方向が一致しているか否かを判断する（Ｓ２３）。つまり、表示情報生成部５４は、第１物体および第２物体の方向の差が所定の角度閾値以下である場合に進行方向が一致していると判断し、当該方向の差が角度閾値よりも大きい場合に進行方向が一致していないと判断する。図５は、進行方向が一致していない車両２Ｋおよび車両２Ｉを示している。
【０１６６】
第１物体および第２物体の進行方向が一致している場合には（Ｓ２３でＹＥＳ）、表示情報生成部５４は、第１物体および第２物体の速度が一致しているか否かを判断する（Ｓ２４）。つまり、表示情報生成部５４は、第１物体および第２物体の速度の差の絶対値が所定の速度閾値以下の場合に、両者の速度が一致していると判断し、速度の差の絶対値が速度閾値よりも大きい場合に、両者の速度が異なると判断する（Ｓ２４）。
【０１６７】
第１物体および第２物体の速度が一致している場合には（Ｓ２４でＹＥＳ）、表示情報生成部５４は、第１物体および第２物体が同一の移動物体であると判断し、第１物体および第２物体を統合して表示するための第２表示情報を生成する（Ｓ２５）。第２表示情報の例は、図４Ｂ〜図４Ｄに示した通りである。なお、第２表示情報は、図４Ｅまたは図４Ｆに示したような第１物体および第２物体を統合せずに表示するための表示情報であってもよい。
【０１６８】
ステップＳ２２〜２４のいずれかの判断結果が否定的である場合には（Ｓ２２でＮＯ、Ｓ２３でＮＯまたはＳ２４でＮＯ）、表示情報生成部５４は、第１物体および第２物体が異なる移動物体であると判断し、第１物体および第２物体をそれぞれ表示する第１表示情報を生成する（Ｓ２６）。第１表示情報の例は、図４Ａに示した通りである。
【０１６９】
第１物体から所定距離範囲内に第２物体が存在しない場合には（Ｓ２１でＮＯ）、表示情報生成部５４は、第１表示物体を表示するための第３表示情報を生成する（Ｓ２７）。
【０１７０】
［実施形態の効果］
以上説明したように、本発明の実施形態によると、複数のセンサの各々が所定エリアに存在する対象物を検出している場合に、所定条件を満たす場合と満たさない場合とで、対象物の表示態様を変化させることができる。例えば、複数の対象物が異なる対象物である場合に複数の対象物を別個に表示させ、複数の対象物が同一の対象物である場合に、上記表示とは異なる表示態様で複数の対象物を表示させることができる。これにより、複数の対象物が異なる対象物と判断されたのか、同一の対象物と判断されたのかの別をユーザは知ることができる。これにより、複数のセンサ情報から、適切な表示情報を生成することができる。
【０１７１】
（変形例）
なお、上述した実施形態では、センサが検出した対象物の位置に制限を設けていなかったが、対象物の位置に制限を設けるようにしてもよい。
【０１７２】
つまり、サーバ５の判断部５３は、各センサと、各センサが検出した対象物との位置関係に基づいて、検出した対象物を判断対象とするか否かを決定してもよい。
【０１７３】
図１０は、対象物を判断対象とするか否かの判断基準を示すための図である。
図１０に示す車載カメラの検出範囲、車載ミリ波レーダの検出範囲および車載ＬｉＤＡＲの検出範囲は、各センサによる対象物の検出精度が高い範囲を示している。つまり、各センサは、検出範囲外の対象物も検出可能ではあるが、検出範囲外では対象物の検出精度が低い。なお、図１０に示す検出範囲は一例であり、各センサの検出精度により変化する。たとえば、４Ｋの車載カメラに比べ８Ｋの車載カメラの方が検出範囲は広くなることが想定される。
【０１７４】
図１０を参照して、判断部５３は、車載ミリ波レーダが検出した対象物が車載ミリ波レーダの前方に設定された車載ミリ波レーダの検出範囲に含まれる場合には、当該対象物を判断対象とし、対象物が当該検出範囲に含まれない場合には、当該対象物を判断対象から外す。
【０１７５】
また、判断部５３は、車載カメラが検出した対象物が車載カメラの前方もしくは周囲に設定された車載カメラの検出範囲に含まれる場合には、当該対象物を判断対象とし、対象物が当該検出範囲に含まれない場合には、当該対象物を判断対象から外す。
【０１７６】
さらに、判断部５３は、車載ＬｉＤＡＲが検出した対象物が車載ＬｉＤＡＲの前方もしくは周囲に設定された車載ＬｉＤＡＲの検出範囲に含まれる場合には、当該対象物を判断対象とし、対象物が当該検出範囲に含まれない場合には、当該対象物を判断対象から外す。
【０１７７】
これにより、判断部５３は、検出精度が高い対象物のみを判断対象として、判断対象とされた対象物から所定距離以内に他の対象物が存在する場合に、両対象物が同一か否かの判断を行う。
【０１７８】
本変形例によると、対象物までの距離が近い場合にのみ、所定エリアに存在する複数の対象物が同一の対象物か否かを判定することができる。これにより、センサから遠方に位置する検出精度の低い対象物に対しては判定処理を行わずに、検出精度の高い対象物に対してのみ判定処理を行うようにすることができる。これにより、判定処理の信頼性を高めることができ、所定エリアに存在する複数の対象物が同一の対象物か否かを正確に判定することができる。
【０１７９】
なお、図１０では、車載センサの検出範囲を示したが、路側センサの検出範囲も同様に設定されており、判断部５３は、車載センサの場合と同様の処理により路側センサが検出した対象物を判断対象とするか否かを判断することができる。
【０１８０】
以上、本発明の実施形態に係る無線通信システムについて説明したが、本発明は、この実施形態に限定されるものではない。
【０１８１】
例えば、上記した無線通信システムは、以下の付記１に示す情報生成装置として実現することもできる。
【０１８２】
［付記１］
各センサから、検出対象エリアの計測結果を示すセンサ情報を取得するセンサ情報取得部と、
上記センサ情報取得部が取得した上記センサ情報に基づいて、複数のセンサの各々が同一の所定エリアに存在する対象物を検出しているか否かを判断する判断部と、
上記判断部の判断結果が肯定的であり、かつ上記複数のセンサが検出した上記対象物が同一の対象物か否かを判断するための所定の条件を満たさない場合に、上記複数のセンサの各々が検出した上記対象物を別個に表示するための第１表示情報を生成し、上記判断結果が肯定的であり、かつ上記所定の条件を満たす場合に、上記第１表示情報の表示態様とは異なる表示態様で上記複数のセンサの各々が検出した上記対象物を表示するための第２表示情報を生成する表示情報生成部と、を備え、
上記第２表示情報は、上記複数のセンサの各々が検出した上記対象物を上記第１表示情報で示された対象物と異なる色で表示するための情報を含む、情報生成装置。
【０１８３】
また、上述の実施形態では、表示情報生成部５４が、所定の条件を満たすか否かを判断することにより、所定エリアに存在する複数の対象物が同一の対象物であるか否かを判断していた。ただし、表示情報生成部５４ではなく、判断部５３が、所定の条件を満たすか否かを判断してもよい。
【０１８４】
また、上記の各装置を構成する構成要素の一部または全部は、１個のシステムＬＳＩから構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１８５】
また、本発明は、上記に示す方法であるとしてもよい。また、本発明は、これらの方法をコンピュータにより実現するコンピュータプログラムであるとしてもよい。
【０１８６】
さらに、本発明は、上記コンピュータプログラムをコンピュータ読取可能な非一時的な記録媒体、例えば、ＨＤＤ、ＣＤ−ＲＯＭ、半導体メモリなどに記録したものとしてもよい。
【０１８７】
また、本発明は、上記コンピュータプログラムを、電気通信回線、無線または有線通信回線、インターネットを代表とするネットワーク、データ放送等を経由して伝送するものとしてもよい。
【０１８８】
また、上記実施形態および上記変形例の少なくとも一部を任意に組み合わせるとしてもよい。
【０１８９】
今回開示された実施形態はすべての点で例示であって制限的なものではないと考えられるべきである。本発明の範囲は、上記した意味ではなく、請求の範囲によって示され、請求の範囲と均等の意味および範囲内でのすべての変更が含まれることが意図される。
【符号の説明】
【０１９０】
１          路側センサ
１Ｃ        路側カメラ
１Ｍ        路側ミリ波レーダ
２          車両
２Ｃ        車載カメラ
２Ｉ        車両
２Ｊ        車両
２Ｋ        車両
２Ｌ        車両
２Ｍ        車載ミリ波レーダ
２Ｎ        車両
３          車載装置
４          基地局
５          サーバ
６          歩行者
７Ｃ        検出対象エリア
７Ｍ        検出対象エリア
８          エリア
１１        制御部
１２        記憶部
１３        カメラ
１４        ミリ波レーダ
１５        通信部
３１        制御部
３１Ａ      表示情報取得部
３１Ｂ      表示制御部
３２        ＧＰＳ受信機
３３        車速センサ
３４        ジャイロセンサ
３５        記憶部
３６        ディスプレイ
３７        スピーカ
３８        入力デバイス
３９        カメラ
４０        ミリ波レーダ
４１        通信部
５１        制御部
５２        センサ情報取得部
５３        判断部
５４        表示情報生成部
５５        ＲＯＭ
５６        ＲＡＭ
５７        記憶部
５８        通信部
【図１】
2019159494.tif 000003
【図２】
2019159494.tif 000004
【図３】
2019159494.tif 000005
【図４Ａ】
2019159494.tif 000006
【図４Ｂ】
2019159494.tif 000007
【図４Ｃ】
2019159494.tif 000008
【図４Ｄ】
2019159494.tif 000009
【図４Ｅ】
2019159494.tif 000010
【図４Ｆ】
2019159494.tif 000011
【図５】
2019159494.tif 000012
【図６】
2019159494.tif 000013
【図７】
2019159494.tif 000014
【図８】
2019159494.tif 000015
【図９】
2019159494.tif 000016
【図１０】
2019159494.tif 000017
【手続補正書】
【提出日】令和2年1月21日(2020.1.21)
【手続補正１】
【補正対象書類名】特許請求の範囲
【補正対象項目名】全文
【補正方法】変更
【補正の内容】
【特許請求の範囲】
【請求項１】
互いに共通する検出対象エリアを持つ複数のセンサの各々から、前記検出対象エリアの計測結果を示すセンサ情報を取得するセンサ情報取得部と、
前記センサ情報取得部が取得した前記複数のセンサ情報に基づいて、前記複数のセンサの各々が同一の所定エリアに存在する対象物を検出しているか否かを判断する判断部と、
前記判断部の判断結果が肯定的であり、かつ前記複数のセンサが検出した前記対象物が同一の対象物か否かを判断するための所定の条件を満たさない場合に、前記複数のセンサの各々が検出した前記対象物を別個に表示するための第１表示情報を生成し、前記判断結果が肯定的であり、かつ前記所定の条件を満たす場合に、前記第１表示情報の表示態様とは異なる表示態様で前記複数のセンサの各々が検出した前記対象物を表示するための第２表示情報を生成する表示情報生成部と
を備える情報生成装置。
【請求項２】
前記複数のセンサの一つから得られたセンサ情報に基づく対象物の位置から所定距離内のエリアを前記所定エリアとする
請求項１に記載の情報生成装置。
【請求項３】
前記第２表示情報は、前記複数のセンサの各々が検出した前記対象物のうち、いずれか１つの前記対象物を表示するための情報を含む
請求項１又は請求項２に記載の情報生成装置。
【請求項４】
前記表示情報生成部は、前記複数のセンサの種別に基づいて、いずれか１つの前記対象物を選択することにより、選択した前記対象物を表示するための前記第２表示情報を生成する
請求項３に記載の情報生成装置。
【請求項５】
前記表示情報生成部は、前記複数のセンサの設置対象に基づいて、いずれか１つの前記対象物を選択することにより、選択した前記対象物を表示するための前記第２表示情報を生成する
請求項３に記載の情報生成装置。
【請求項６】
前記表示情報生成部は、前記各センサから当該各センサが検出した前記対象物までの距離に基づいて、いずれか１つの前記対象物を選択することにより、選択した前記対象物を表示するための前記第２表示情報を生成する
請求項３に記載の情報生成装置。
【請求項７】
前記第２表示情報は、前記複数のセンサの各々が検出した前記対象物を統合した対象物を表示するための情報を含む
請求項１又は請求項２に記載の情報生成装置。
【請求項８】
前記第２表示情報は、前記複数のセンサの各々が検出した前記対象物を点滅させて表示するための情報を含む
請求項１又は請求項２に記載の情報生成装置。
【請求項９】
前記第２表示情報は、前記複数のセンサの各々が検出した前記対象物の平均の位置に１つの対象物を表示するための情報を含む
請求項１又は請求項２に記載の情報生成装置。
【請求項１０】
前記所定の条件は、前記複数のセンサが検出した前記対象物の位置に基づく条件を含む
請求項１〜請求項９のいずれか１項に記載の情報生成装置。
【請求項１１】
前記所定の条件は、前記複数のセンサが過去の所定時刻において検出した前記対象物間の距離が所定の距離閾値以下であることを含む
請求項１０に記載の情報生成装置。
【請求項１２】
前記所定の条件は、前記複数のセンサが検出した前記対象物の方向の差が所定の角度閾値以下であることを含む
請求項１〜請求項１１のいずれか１項に記載の情報生成装置。
【請求項１３】
前記所定の条件は、前記複数のセンサが検出した前記対象物の速度の差が所定の速度閾値以下であることを含む
請求項１〜請求項１２のいずれか１項に記載の情報生成装置。
【請求項１４】
前記各閾値は、前記複数のセンサの種別に基づいて定められる
請求項１１〜請求項１３のいずれか１項に記載の情報生成装置。
【請求項１５】
前記各閾値は、前記複数のセンサの設置対象に基づいて定められる
請求項１１〜請求項１３のいずれか１項に記載の情報生成装置。
【請求項１６】
前記各閾値は、前記複数のセンサの検出精度に基づいて定められる
請求項１１〜請求項１３のいずれか１項に記載の情報生成装置。
【請求項１７】
前記各閾値は、前記複数のセンサの位置精度に基づいて定められる
請求項１１〜請求項１３のいずれか１項に記載の情報生成装置。
【請求項１８】
前記所定の条件は、前記複数のセンサが検出した前記対象物のサイズ、色および形状のうちの少なくとも１つに基づく条件を含む
請求項１〜請求項１７のいずれか１項に記載の情報生成装置。
【請求項１９】
前記判断部は、前記各センサと当該各センサが検出した前記対象物との位置関係に基づいて、検出した当該対象物を判断対象とするか否かを決定する
請求項１〜請求項１８のいずれか１項に記載の情報生成装置。
【請求項２０】
互いに共通する検出対象エリアを持つ複数のセンサの各々から、前記検出対象エリアの計測結果を示すセンサ情報を取得するステップと、
取得された前記複数のセンサ情報に基づいて、前記複数のセンサの各々が同一の所定エリアに存在する対象物を検出しているか否かを判断するステップと、
前記判断するステップにおける判断結果が肯定的であり、かつ前記複数のセンサが検出した前記対象物が同一の対象物か否かを判断するための所定の条件を満たさない場合に、前記複数のセンサの各々が検出した前記対象物を別個に表示するための第１表示情報を生成し、前記判断結果が肯定的であり、かつ前記所定の条件を満たす場合に、前記第１表示情報の表示態様とは異なる表示態様で前記複数のセンサの各々が検出した前記対象物を表示するための第２表示情報を生成するステップと
を含む情報生成方法。
【請求項２１】
コンピュータを、
互いに共通する検出対象エリアを持つ複数のセンサの各々から、検出対象エリアの計測結果を示すセンサ情報を取得するセンサ情報取得部、
前記センサ情報取得部が取得した前記複数のセンサ情報に基づいて、前記複数のセンサの各々が同一の所定エリアに存在する対象物を検出しているか否かを判断する判断部、及び
前記判断部の判断結果が肯定的であり、かつ前記複数のセンサが検出した前記対象物が同一の対象物か否かを判断するための所定の条件を満たさない場合に、前記複数のセンサの各々が検出した前記対象物を別個に表示するための第１表示情報を生成し、前記判断結果が肯定的であり、かつ前記所定の条件を満たす場合に、前記第１表示情報の表示態様とは異なる表示態様で前記複数のセンサの各々が検出した前記対象物を表示するための第２表示情報を生成する表示情報生成部
として機能させるためのコンピュータプログラム。
【請求項２２】
請求項１〜請求項１９のいずれか１項に記載の情報生成装置と、
前記情報生成装置とネットワークを介して接続される車載装置とを備え、
前記車載装置は、
前記情報生成装置から、当該情報生成装置が生成した前記第１表示情報および第２表示情報のうちの少なくとも１つの表示情報を取得する表示情報取得部と、
前記表示情報取得部が取得した前記表示情報に基づく画面への表示を制御する表示制御部とを含む、
無線通信システム。
【国際調査報告】
2019159494.tif 000018
2019159494.tif 000019
2019159494.tif 000020
2019159494.tif 000021